(57)【要約】      （修正有）【課題】  プラスチックからなるレンズ等の光学素子に対して帯電防止の効果を維持できる光学装置及び画像記録装置を提供する。【解決手段】  この光学装置１０は、少なくとも１個のプラスチックからなる光学素子４、５を備え、光学素子４、５にそれぞれ除電のための除電ブラシ機構７を設け、プラスチックからなる光学素子４、５に帯電した電荷を除電ブラシ機構７により除電する。また、除電ブラシ機構７は金属細線で構成された除電ブラシを使用する。【選択図】図１
2006330422.tif 000002
【特許請求の範囲】
【請求項１】
少なくとも１個のプラスチックからなる光学素子を備え、前記光学素子に除電のための除電ブラシ機構を設けたことを特徴とする光学装置。
【請求項２】
光ビームを偏向走査する偏向走査手段と、前記光ビームの光路に配設された少なくとも１個のプラスチックからなる光学素子と、前記光学素子及び前記偏向走査手段を収容する光学箱と、前記光学素子から除電するための除電ブラシ機構と、を備えることを特徴とする光学装置。
【請求項３】
前記除電ブラシ機構は金属細線で構成された除電ブラシを使用する請求項１または２に記載の光学装置。
【請求項４】
前記除電ブラシを前記光学箱の蓋に取り付けた請求項３に記載の光学装置。
【請求項５】
前記金属細線を前記光学素子の光学機能の非有効面に接触させるようにして設けた請求項３または４に記載の光学装置。
【請求項６】
請求項１乃至５のいずれか１項に記載の光学装置を備え、熱現像感光フィルムに画像を記録する熱現像方式の画像記録装置。
【発明の詳細な説明】
【技術分野】
【０００１】
本発明は、プラスチックからなるレンズ等の光学素子を備える光学装置及び画像記録装置に関する。
【背景技術】
【０００２】
プラスチックレンズは、小型軽量化が可能であり、射出成形による大量生産に向き低コスト化を図ることができることから各種の光学機器に用いられているが、ガラスレンズに比べて帯電し易く、電荷が蓄積した光学面に塵埃が付着してしまうと、光量低下による光学性能の劣化の問題が生じてしまう。このため、必要に応じて光学面の清掃を行うことが必要となるが、分解・清掃・再組立等のため手間がかかってしまう。
【０００３】
下記特許文献１は、プラスチックレンズの帯電防止として、光学箱とプラスチックレンズの隙間に導電性樹脂部材を充填させて電気的に導通させることを開示する。また、下記特許文献２は、非帯電特性を持つ光学箱にして、プラスチックレンズの位置決め部を介して光学箱との問を電気的に導通させて、帯電を防ぐことを開示する。
【０００４】
しかし、特許文献１によれば、生産工程において光学箱とプラスチックレンズの隙間に樹脂材料を充填させるときにレンズの有効面に付着させないような最深の注意が必要であり、生産工程管理上、煩わしくなり、作業性が低下し、また樹脂材料が硬化するのに時間を要し、生産性がよくない。また、樹脂材料と光学箱の膨張係数に差がある場合、充填した樹脂材料と光学箱との間で剥離が生じ易くなり、剥離が生じてしまうと、導通効果が低下し、帯電防止効果が低下してしまう。
【０００５】
また、特許文献２によれば、プラスチックレンズの位置決め部を介して光学箱との間を電気的に導通させており、位置決め部材のみを介しているので、接触面積が小さく導通の効果が低い。また、位置決め部材から離れたレンズ面の帯電防止効果が低い。
【特許文献１】特開２０００‐１７１７４３号公報
【特許文献２】特開２０００−２３５１５９号公報
【発明の開示】
【発明が解決しようとする課題】
【０００６】
本発明は、上述のような従来技術の問題に鑑み、プラスチックからなるレンズ等の光学素子に対して帯電防止の効果を維持できる光学装置及び画像記録装置を提供することを目的とする。
【課題を解決するための手段】
【０００７】
上記目的を達成するために、本発明による第１の光学装置は、少なくとも１個のプラスチックからなる光学素子を備え、前記光学素子に除電のための除電ブラシ機構を設けたことを特徴とする。
【０００８】
第１の光学装置によれば、プラスチックからなる光学素子に除電ブラシ機構を設け、光学素子からブラシ機構により除電することで、帯電防止の効果を維持できる。
【０００９】
本発明による第２の光学装置は、光ビームを偏向走査する偏向走査手段と、前記光ビームの光路に配設された少なくとも１個のプラスチックからなる光学素子と、前記光学素子及び前記偏向走査手段を収容する光学箱と、前記光学素子から除電するための除電ブラシ機構と、を備えることを特徴とする。
【００１０】
第２の光学装置によれば、プラスチックからなる光学素子に除電ブラシ機構を設け、光学素子からブラシ機構により除電することで、帯電防止の効果を維持できる。なお、第２の光学装置は、光学箱内に光ビームの偏向走査手段を収容することで、走査光学装置を構成できる。
【００１１】
上記第１及び第２の光学装置において前記除電ブラシ機構は金属細線で構成された除電ブラシを使用することで、帯電防止の効果を簡単な構成で維持することができるのみならず、光学素子に対し所定範囲にわたって導通を図ることができるので、帯電防止の効果が高くなる。また、光学装置の生産工程における作業性もよく、生産性を向上できる。
【００１２】
また、前記除電ブラシを前記光学箱の蓋に取り付けることで、除電ブラシを介して光学素子と光学箱とを簡単な構成で導通させることができる。
【００１３】
また、前記金属細線を前記光学素子の光学機能の非有効面に接触させるようにして設けることで、光学素子の光学機能に悪影響を与えることがない。
【００１４】
本発明による画像記録装置は、上述の第１または第２の光学装置を備え、熱現像感光フィルムに画像を記録する熱現像方式のものである。熱現像方式の画像記録装置においては機内温度が高く、光学装置内部も温度が高くなるため、プラスチックからなる光学素子の膨張も無視できないが、光学素子がたとえ熱膨張しても、除電ブラシ機構であるため、光学素子に無理な負荷がかからず、歪等を発生させないので、帯電防止の効果を維持できるとともに、画像記録に悪影響を与えることもない。
【発明の効果】
【００１５】
本発明の光学装置によれば、プラスチックからなるレンズ等の光学素子に対して帯電防止の効果を維持できる。
【発明を実施するための最良の形態】
【００１６】
以下、本発明を実施するための最良の形態について図面を用いて説明する。
【００１７】
〈第１の実施の形態〉
【００１８】
図１は第１の実施の形態による走査光学装置の内部をみた平面図（ａ）及び側面図（ｂ）である。図２は図１のプラスチックからなるレンズに設けた除電ブラシ機構を正面から見た図である。
【００１９】
図１（ａ）、（ｂ）に示すように、走査光学装置１０は、光源である半導体レーザ１と、コリメータレンズ２と、シリンドリカルレンズ２ａと、回転軸３ａを中心に回転方向Ｒにモータ（図示省略）により回転してシリンドリカルレンズ２ａからのレーザ光Ｌを主走査方向Ｓに反射して偏向する回転多面鏡３と、回転多面鏡３から偏向されたレーザ光Ｌが入射しかつｆθレンズを構成するプラスチックからなる第１レンズ４と、第１レンズ４から偏向されたレーザ光Ｌが入射しかつｆθレンズを構成するプラスチックからなる第２レンズ５と、を備える。
【００２０】
走査光学装置１０は、上記各部分１乃至５等の部品を比較的薄く平面矩形状の光学箱６内に収容している。光学箱６及び蓋板６ａはアルミニウムや鉄鋼材料等の金属材料からなる。また、第２レンズ５から偏向されたレーザ光Ｌが外部に出射するように主走査方向Ｓに細長く延びたガラス板６ｂが光学箱６の側面に設けられている。光学箱６は蓋板６ａ及びガラス板６ｂにより防塵構造となっている。偏向されたレーザ光Ｌがガラス板６ｂを介して光学箱６の外部に出射し、外部に副走査可能に設けられた被走査体ａ上を主走査方向Ｓに主走査する。
【００２１】
ｆθレンズを構成する第１レンズ４は、図１（ａ）のようにレーザ光Ｌが入射し出射しレンズ機能を持つ光学面４ｂが湾曲し全体として主走査方向Ｓに延びるように細長く構成され、レンズ機能のない非有効面４ａがレーザ光の入射・出射方向に対しほぼ平行な平坦面に構成されている。
【００２２】
ｆθレンズを構成する第２レンズ５は、図１（ａ）のように偏向されたレーザ光Ｌが入射し出射しレンズ機能を持つ光学面５ｂが湾曲し全体として主走査方向Ｓに比較的長く延びるように細長く構成され、レンズ機能のない非有効面５ａがレーザ光の入射・出射方向に対しほぼ平行な平坦面に構成されている。
【００２３】
図１（ｂ）のように、光学箱６内のｆθレンズを構成する第１及び第２レンズ４，５には除電ブラシ機構７がそれぞれ設けられている。図２に第１レンズ４に設けた除電ブラシ機構７を示すが、除電ブラシ機構７は、図２のように、多数本のばね性のある金属細線８ａから構成される除電ブラシ８と、除電ブラシ８の多数本の金属細線８ａを並べて保持する金属材料からなる導電性の台座９と、を備える。除電ブラシ８の多数本の金属細線８ａは、台座９上に第１レンズ４の非有効面４ａの湾曲形状に倣うようにして非有効面４ａの一端から他端までの長さ範囲にほぼ一列に並べてある。
【００２４】
図２のように、除電ブラシ機構７は、台座９が光学箱６の蓋板６ａの内面に取り付けられており、このとき、台座９に保持された除電ブラシ８の多数本の金属細線８ａが第１レンズ４の平坦な非有効面４ａに確実に接触するように長めに構成されている。このため、除電ブラシ８の多数本の金属細線８ａは、図１（ｂ）のように湾曲して非有効面４ａに金属細線８ａのばね作用により確実に接触できるので、除電ブラシ８と第１レンズ４との間を確実に導通させることができる。
【００２５】
また、図１（ｂ）のように光学箱６内の第２レンズ５に設けられた除電ブラシ機構７は、図２と同様の除電ブラシ８及び台座９から構成され、非有効面５ａに除電ブラシ８の多数本の金属細線が確実に接触できる。これにより、除電ブラシ８と第２レンズ５との間を確実に導通させることができる。
【００２６】
図１（ａ）、（ｂ）、図２の走査光学装置１０によれば、走査光学装置１０内のプラスチックからなる第１レンズ４と第２レンズ５を除電ブラシ８及び台座９を介して光学箱６に対し確実に導通させることができるので、第１レンズ４、第２レンズ５が帯電しても、光学箱６へ放電できる。このため、第１レンズ４及び第２レンズ５の帯電を防止でき、光学面４ｂ、５ｂへの塵埃の付着を防止できる。
【００２７】
また、除電ブラシ８は第１レンズ４及び第２レンズ５に確実にかつ安定して接触させることができるので、帯電防止の効果を簡単な構成で維持できる。このため、塵埃付着に起因する光量低下による光学性能の劣化が生じ難くなり、第１レンズ４や第２レンズ５の清掃頻度を極力抑えることができる。
【００２８】
また、除電ブラシ８では、第１レンズ４や第２レンズ５に対し所定の長さ範囲にわたって金属細線８ａを配置できるので、第１レンズ４や第２レンズ５の広い範囲で導通を図ることができる。このため、帯電防止の効果が高くなる。
【００２９】
また、除電ブラシ８を光学箱６の蓋板６ａに取り付けることで、除電ブラシ８を介して第１レンズ４及び第２レンズ５と光学箱６とを簡単な構成で導通させることができる。
【００３０】
また、除電ブラシ８の金属細線８ａを第１レンズ４の非有効面４ａや第２レンズ５の非有効面５ａに接触させるようにして設けることで、第１レンズ４や第２レンズ５の光学機能に悪影響を与えることがない。
【００３１】
また、除電ブラシ機構７は、除電ブラシ８の付いた台座９を光学箱６内の所定位置に取り付けるだけでよいので、走査光学装置１０の生産工程における組立作業性もよく、生産性を向上できる。
【００３２】
〈第２の実施の形態〉
【００３３】
図３は第２の実施の形態による熱現像方式の画像記録装置の内部を概略的に示す斜視図である。
【００３４】
図３に示すように、熱現像方式の画像記録装置１００は、シート状の熱現像感光材料であるフィルムＦを収納するサプライ部１１と、サプライ部１１から給送されたフィルムＦを露光するための走査光学部１２と、露光されたフィルムＦを現像する熱現像部１３と、を有し、各部１１〜１３がこの順で下から積層して配置されている。
【００３５】
図３のように、サプライ部１１には、積層された複数枚のフィルムＦを感光面Ｆ１が上面側になるように収納した収納トレイ１４が引き出し・押し込み自在に設けられており、装置使用時に図３の方向ｘに押し込まれる。収納トレイ１４から搬送されたフィルムＦは搬送ローラ対２１及び２２により、図３の搬送方向Ｈ’から搬送方向Ｈへと鉛直方向に搬送され、更に搬送ローラ対２３により搬送方向Ｈに熱現像部１３へと搬送される。
【００３６】
フィルムＦの上記搬送方向Ｈへの搬送途中で、図３に示すように、走査光学部１２は、フィルムＦの感光面Ｆ１に対し、半導体レーザから構成される発光部１２１からポリゴンミラー（回転多面鏡）１２２及びプラスチックからなるｆθレンズ１２３を介して、赤外域の波長７８０〜８６０ｎｍの範囲内のレーザ光Ｌで走査しながら露光し、露光画像信号に応じた潜像を形成させる。
【００３７】
潜像の形成されたフィルムＦは、搬送ローラ対２３により搬送方向Ｈに熱現像部１３へと搬送される。熱現像部１３は、所定の温度に加熱される加熱ドラム１３１と、加熱ドラム１３１の外周近傍に配置された複数の案内ローラ１３２と、を備える。
【００３８】
熱現像部１３に搬送されたフィルムＦが加熱ドラム１３１の外周面と複数の案内ローラ１３２との間で加熱ドラム１３１の外周面に密着し、この状態で加熱ドラム１３１が図３の回転方向Ｒに回転する間にフィルムＦを加熱し熱現像することでフィルムＦの潜像を可視画像に形成する。その後、図３の加熱ドラム１３１の右方からフィルムＦが出てきて加熱ドラム１３１から離れ、装置外部へと搬送される。
【００３９】
図３において走査光学部１２の金属材料からなる筐体１２ａ内にプラスチックからなるｆθレンズ１２３に対し除電ブラシ機構７を図２と同様にして設けている。ｆθレンズ１２３は２枚のレンズからなるが、除電ブラシ機構７を両方のレンズに跨るように設けている。この除電ブラシ機構７により熱現像方式の画像記録装置１００の走査光学部１２においてｆθレンズ１２３の帯電を確実に防止でき、ｆθレンズ１２３の光学面への塵埃の付着を防止できる。
【００４０】
熱現像方式の画像記録装置１００においては機内温度が高く、走査光学部１２は熱現像部１３に近いため走査光学部１２の筐体１２ａ内部も温度が高くなることから、プラスチックからなるｆθレンズ１２３の熱膨張も無視できないが、ｆθレンズ１２３が膨張しても除電ブラシのため、レンズ１２３に負荷がかからずに歪等を発生させない。このため、帯電防止の効果を維持できるとともに画像記録に悪影響を与えることもない。
【００４１】
以上のように本発明を実施するための最良の形態について説明したが、本発明はこれらに限定されるものではなく、本発明の技術的思想の範囲内で各種の変形が可能である。例えば、図１（ａ）、（ｂ）の走査光学装置１０では、ｆθレンズが第１及び第２レンズ４，５から構成されているが、いずれか一方のレンズだけに除電ブラシ機構７を設けてもよい。また、プラスチックからなるコリメータレンズやシリンドリカルレンズ等の他の光学素子に同様の除電ブラシ機構７を設けてもよいことは勿論である。
【００４２】
また、本発明の光学装置は、図３のような熱現像方式の画像記録装置のみならず、レーザビームプリンタやレーザファクシミリ等の画像形成装置の走査光学部や画像情報を光走査で読み取る画像読取装置の走査光学部に適用してもよいことは勿論である。
【００４３】
また、本発明の光学装置は、上述の画像記録装置や画像形成装置や画像読取装置に限定されずに、プラスチックレンズ等のプラスチックからなる光学素子を用いる光学装置全般に適用して好ましいものである。
【００４４】
また、本発明における光学素子としては、各種レンズ機能を有するレンズ、回折機能を有する回折格子や波長板、反射機能や光分割機能を有するミラー等であってよい。
【図面の簡単な説明】
【００４５】
【図１】第１の実施の形態による走査光学装置の内部をみた平面図（ａ）及び側面図（ｂ）である。
【図２】図１のプラスチックからなるレンズに設けた除電ブラシ機構を正面から見た図である。
【図３】第２の実施の形態による熱現像方式の画像記録装置の内部を概略的に示す斜視図である。
【符号の説明】
【００４６】
１ 半導体レーザ
２ コリメータレンズ
３ 回転多面鏡（偏向走査手段）
４ 第１レンズ（プラスチックからなる光学素子）
４ａ 非有効面
４ｂ 光学面
５ 第２レンズ（プラスチックからなる光学素子）
５ａ 非有効面
５ｂ 光学面
６ 光学箱
６ａ 蓋板
７ 除電ブラシ機構
８ 除電ブラシ
８ａ 金属細線
９ 台座
１０ 走査光学装置
１２ 走査光学部（走査光学装置）
１２ａ 筐体
１３ 熱現像部
１００ 画像記録装置
１２２ ポリゴンミラー（偏向走査手段）
１２３ ｆθレンズ（プラスチックからなる光学素子）
Ｆ フィルム（熱現像感光フィルム）
Ｌ レーザ光
Ｓ 主走査方向
【図１】
2006330422.tif 000003
【図２】
2006330422.tif 000004
【図３】
2006330422.tif 000005